(57)【要約】【課題】  複数の双眼撮影部を１つの双眼表示部で切り換えて表示させることのできる映像システムを提供する。【解決手段】映像システム（１０）は、両眼視差に相当する相違が生ずる一対の画像を同一の同期信号で撮影する第１双眼撮像部（１１０）と、第１双眼撮像部と別に配置され両眼視差に相当する相違が生ずる一対の画像を同一の同期信号で撮影する第２双眼撮像部（２１０）と、第１双眼撮像部に設けられ一対の画像をネットワークに配信する第１配信手段（１１６）と、第２双眼撮像部に設けられ一対の画像をネットワークに配信する第２配信手段（１２６）と、第１配信手段又は第２配信手段の少なくとも一方の配信を受信できる受信部（１２６又は２２６）を有し両眼視差に相当する相違が生ずる一対の表示画面に一対の画像を同一の同期信号で表示する第１表示部（１２０又は２２０）と、を備える。【選択図】  図１
2010166456.tif 000002
【特許請求の範囲】
【請求項１】
両眼視差に相当する相違が生ずる一対の画像を同一の同期信号で撮影する第１双眼撮像部と、
前記第１双眼撮像部と別に配置され、両眼視差に相当する相違が生ずる一対の画像を同一の同期信号で撮影する第２双眼撮像部と、
前記第１双眼撮像部に設けられ、前記一対の画像をネットワークに配信する第１配信手段と、
前記第２双眼撮像部に設けられ、前記一対の画像をネットワークに配信する第２配信手段と、
前記第１配信手段又は第２配信手段の少なくとも一方の配信を受信できる受信部を有し、両眼視差に相当する相違が生ずる一対の表示画面に前記一対の画像を同一の同期信号で表示する第１表示部と、を備えたことを特徴とする映像システム。
【請求項２】
前記一対の表示画面は、使用者の両眼の目の前に配置される眼鏡タイプの表示画面であることを特徴とする請求項１に記載の映像システム。
【請求項３】
前記第１表示部は、前記第１配信手段又は第２配信手段の配信のいずれか一方又は両方を選択できる選択部を有していることを特徴とする請求項１又は請求項２に記載の映像システム。
【請求項４】
前記第１表示部は、前記第１配信手段及び第２配信手段の配信の両方を受信している際に、前記第１配信手段及び第２配信手段からの画像をサムネイル画像として前記一対の表示画面に表示させることを特徴とする請求項１又は請求項２に記載の映像システム。
【請求項５】
前記第１表示部は、前記一対の表示画面の明るさを同等にするための明るさ調整部を備えていることを特徴とする請求項１から請求項４のいずれか一項に記載の映像システム。
【請求項６】
前記第１表示部とは別に設置され、前記第１配信手段又は第２配信手段の少なくとも一方の配信を受信できる受信部を有し、両眼視差に相当する相違が生ずる一対の表示画面に前記一対の画像を同一の同期信号で表示する第２表示部を備えることを特徴とする請求項１から請求項５のいずれか一項に記載の映像システム。
【発明の詳細な説明】
【技術分野】
【０００１】
本発明は、映像システムに係わり、特に、双眼の撮影部（以下は双眼撮影部）と双眼の表示部（以下は双眼表示部）とが分離して構成される映像システムに関する。
【背景技術】
【０００２】
従来、双眼鏡は使用者が視差のある画像情報を拡大して観察する装置として広く用いられてきた。双眼鏡は対象物を両目で観察できるため、立体的（ステレオ）に認識することができるので様々な分野で用いられている。さらに双眼鏡はデジタル化されることで、様々な付加機能が搭載されている。例えば、特許文献１によれば、撮影によって得られた双眼撮影部の画像像情報を使用者が見やすいようにノイズを除去することで、高画質な画像情報を双眼表示部に表示させている。
【先行技術文献】
【特許文献】
【０００３】
【特許文献１】特開２００４−１２０６００
【発明の開示】
【発明が解決しようとする課題】
【０００４】
しかしながら、デジタル化した双眼鏡（以下はデジタル双眼鏡と称す）においても、使用者は高画質な画像で目的とする対象物を見つけたとしても、他人にその画像情報を言葉で伝えるしかなく、同時に同じ画像情報を共有することはできなかった。また使用者は２つの異なる位置にある対象物を同時に観察することはできなかった。
【０００５】
本発明は、かかる実情に鑑み、１つの双眼撮影部の画像情報を複数の双眼表示部に表示させることができ、または、複数の双眼撮影部を１つの双眼表示部で切り換えて表示させることのできる映像システムを提供するものである。
【課題を解決するための手段】
【０００６】
第１の態様の映像システムは、両眼視差に相当する相違が生ずる一対の画像を同一の同期信号で撮影する第１双眼撮像部と、第１双眼撮像部と別に配置され両眼視差に相当する相違が生ずる一対の画像を同一の同期信号で撮影する第２双眼撮像部と、第１双眼撮像部に設けられ一対の画像をネットワークに配信する第１配信手段と、第２双眼撮像部に設けられ一対の画像をネットワークに配信する第２配信手段と、第１配信手段又は第２配信手段の少なくとも一方の配信を受信できる受信部を有し、両眼視差に相当する相違が生ずる一対の表示画面に一対の画像を同一の同期信号で表示する第１表示部と、を備える。
【発明の効果】
【０００７】
本発明の映像システムによれば、目的とする対象物を複数人で共有することができ、または、１人の使用者が複数の双眼撮影部の画像情報を切り換えて表示することができるため、目的とする画像情報の選択が可能であるという優れた効果を奏し得る。
【図面の簡単な説明】
【０００８】
【図１】一方のデジタル双眼鏡が樹木ＴＲを映し、もう一方が野鳥ＢＲを写している模式図である。
【図２】第１デジタル双眼鏡１００を上部からみた構成図である。
【図３】頭部装着型の第１双眼表示部１２０の一例を示した斜視図である。
【図４】映像システム１０の双眼撮影部で撮影された画像情報の制御経路を示すブロック図である。
【図５】（ａ）は、第１双眼表示部１２０の表示例である。  （ｂ）は、第２双眼表示部２２０の表示例である。
【図６】（ａ）は、メイン画面ＭＳの上部に３個のサブ画面ＳＳを表示させた場合を示している。  （ｂ）は、メイン画面ＭＳの全面に９個のサブ画面ＳＳを表示させた場合を示している。
【発明を実施するための形態】
【０００９】
＜映像システムの構成＞
以下、添付図面を参照して本発明の実施形態を説明する。
【００１０】
本実施形態の映像システム１０は複数のデジタル双眼鏡を用いている。例えば映像システム１０は第１デジタル双眼鏡１００と第２デジタル双眼鏡２００とからなる。本実施形態では説明し易いように２つのデジタル双眼鏡を用いて説明するが、３つ以上の構成でも同様である。
【００１１】
図１は２つのデジタル双眼鏡の一方が樹木ＴＲを映し、もう一方が野鳥ＢＲを写している模式図である。なお、樹木ＴＲを映している方を第１デジタル双眼鏡１００とし、野鳥ＢＲを写している方を第２デジタル双眼鏡２００とする。また、第１デジタル双眼鏡１００と第２デジタル双眼鏡２００とは同じ構造であり、使用者または設置場所が異なるだけである。
【００１２】
第１デジタル双眼鏡１００は第１双眼撮影部１１０と第１双眼表示部１２０とで構成されており、それぞれ分離して使用可能な構造となっている。また、同様に第２デジタル双眼鏡２００は、第２双眼撮影部２１０と第２双眼表示部２２０とで構成されており、それぞれ分離して使用可能な構造となっている。双眼撮影部と双眼表示部とが分離することにより、使用者は双眼撮影部を対象物の観察に適した場所に設置して、別な場所で双眼表示部を用いて観察することが可能となる。
【００１３】
第１双眼撮影部１１０は樹木ＴＲを撮像し、その画像情報を第１撮影通信部１１６及び第１表示通信部１２６を介して第１双眼表示部１２０に表示させることができる。また、第１双眼撮影部１１０は第１撮影通信部１１６及び第２表示通信部２２６を介して第２双眼表示部２２０へ画像情報を配信することができる。同様に第２双眼撮影部２１０で撮影した野鳥ＢＲは第２撮影通信部１２６及び第１表示通信部１２６を介して第１双眼表示部１２０に画像情報を配信することができる。さらに第２双眼撮影部２１０で撮影した野鳥ＢＲは第２撮影通信部１２６及び第２表示通信部２２６を介して第２双眼表示部２２０に画像情報を配信することができる。
【００１４】
つまり、第１双眼表示部１２０の使用者は第１双眼撮影部１１０で撮影した樹木ＴＲ、または第２双眼撮影部２１０で撮影した野鳥ＢＲの画像情報を切り換えて観察することができる。第２双眼表示部２２０の使用者も第１双眼撮影部１１０で撮影した樹木ＴＲまたは第２双眼撮影部２１０で撮影した野鳥ＢＲの画像情報を切り換えて観察することができる。つまり、本発明のデジタル双眼鏡の使用者は複数人で使用することで、互いの画像情報を共有することができる。
【００１５】
なお、図１では、理解し易いように、第１双眼撮影部１１０及び第２双眼撮影部２１０から第１双眼表示部１２０及び第２双眼表示部２２０へ１対１対応の有線で接続されている。しかし接続方法は、この方法に限定されるのではなく、ハブを用いた有線ＬＡＮケーブルで接続する方法、無線ＬＡＮで接続する方法、無線電波で送受信する方法など他の通信方法でも良い。
【００１６】
＜デジタル双眼鏡の構成＞
第１デジタル双眼鏡１００と第２デジタル双眼鏡２００とは、同じ構造のため、代表して第１デジタル双眼鏡１００について説明する。
【００１７】
図２は、本発明の第１デジタル双眼鏡１００を上部からみた構成図である。第１デジタル双眼鏡１００は第１双眼撮影部１１０と第１双眼表示部１２０とで構成されている。第１双眼撮影部１１０と第１双眼表示部１２０とは、個別に動作することができ、着脱可能な構造となっている。このため、第１双眼撮影部１１０と第１双眼表示部１２０とは、離れた場所で使用することができる。
【００１８】
第１双眼撮影部１１０は２つの鏡筒１１１Ｌと鏡筒１１１Ｒとを有している。２つの鏡筒１１１Ｌと鏡筒１１１Ｒとは人間の両眼の間隔とほぼ同じ距離を隔てて、保持部１１４で平行となるよう固定されている。２つの鏡筒１１１Ｌと鏡筒１１１Ｒはそれら中にそれぞれ対物レンズ部１１２Ｌと対物レンズ部１１２Ｒとを設置しており、第１撮像部１１３Ｌと第１撮像部１１３Ｒとを設置している。つまり、第１双眼撮影部１１０で撮像される画像情報は、両眼視差に相当する相違が生じている。
【００１９】
対物レンズ部１１２Ｌと対物レンズ部１１２Ｒとは、一般の双眼鏡とは異なり、電気的に画像処理された対象物の像を第１双眼表示部１２０で観察するため、対象物を左右及び上下にするプリズムなどは敢えて設ける必要がない。第１撮像部１１３Ｌと第１撮像部１１３Ｒとは例えばＣＣＤセンサ又はＣＭＯＳセンサで構成される。
【００２０】
なお、対物レンズ部１１２は固定倍率のレンズ郡で構成する第１双眼撮影部１１０や、可変倍率のレンズ郡で構成する第１双眼撮影部１１０であってもよい。また第１双眼撮影部１１０は、オートフォーカス機構を備えていることが好ましい。
【００２１】
保持部１１４には、第１撮影記憶部１１５、第１撮影通信部１１６、第１同期発生回路１１７、第１輝度調整部１１８、及び電源１１９などの電気回路が設置され、撮影制御部９０で制御される。第１撮影記憶部１１５は第１撮像部１１３Ｌと第１撮像部１１３Ｒとで撮像した画像情報を記憶する。第１撮影通信部１１６は第１撮像部１１３Ｌと第１撮像部１１３Ｒとで撮像した画像情報を配信などする。
【００２２】
第１同期発生回路１１７は第１撮像部１１３Ｌと第１撮像部１１３Ｒとを駆動する際にともに同じ同期で撮像できるように第１撮像部１１３Ｌと第１撮像部１１３Ｒとに信号を与える。また、第１同期発生回路１１７は、第１撮像部１１３Ｌ及び第１撮像部１１３Ｒから第１撮影記憶部１１５に記録される画像信号に同期タイミングのための擬似信号を与える。第１輝度調整部１１８は第１撮像部１１３Ｌと第１撮像部１１３Ｒとが受光する輝度を調整する。電源１１９は、第１撮像部１１３、第１撮影記憶部１１５、第１撮影通信部１１６、第１同期発生回路１１７及び第１輝度調整部１１８に電力を与える。
【００２３】
一方、第１双眼表示部１２０は２つの筺体１２１Ｌと筺体１２１Ｒを有している。筺体１２１Ｌと筺体１２１Ｒとはそれぞれの中に第１表示部１２２Ｌと第１表示部１２２Ｒとを設置し、接眼レンズ部１２３Ｌと接眼レンズ部１２３Ｒとを設置している。筺体１２１Ｌと筺体１２１Ｒとは使用者の眼幅に調整することが可能な接続部１２４で接合されている。つまり、第１双眼表示部１２０で表示される画像情報は、両眼視差に相当する相違が生じている。
【００２４】
接続部１２４及びその他の空間には、第１表示記憶部１２５、第１表示通信部１２６、第１表示同期回路１１７及び電源１２８などの電気回路が設置され、ＣＰＵなどの表示制御部９１で制御される。
【００２５】
第１表示部１２２Ｌと第１表示部１２２Ｒとは、例えば液晶素子から構成される。第１表示通信部１２６は、第１撮影通信部１１６から配信された画像情報を受信する。第１表示記憶部１２５は受信した画像情報を記憶する。第１表示同期回路１２７は第１表示部１２２Ｌと第１表示部１２２Ｒとに画像情報を同期させるため同期信号を送る。電源１２８は第１表示部１２２、第１表示記憶部１２５、第１表示通信部１２６及び第１表示同期回路１２７に電力を供給する。
【００２６】
なお、第２デジタル双眼鏡２００の構成も同様であり、第２双眼撮影部２１０と、第２双眼表示部２２０とで構成される。図４の制御経路で示すが、第１デジタル双眼鏡１００と同様に、第２双眼撮影部２１０は２つの鏡筒の中に、それぞれ対物レンズ部が設置され、第２撮像部２１３Ｌと第２撮像部２１３Ｒとが設置されている。保持部には、第２撮影記憶部２１５、第２撮影通信部１１６、第２同期発生回路１１７、第２輝度調整部２１８及び電源などの電気回路が設置され、第２撮影制御部９５で制御される。
【００２７】
同様に、第２双眼表示部２２０は２つの筺体の中に、それぞれ第２表示部２２２Ｌと第２表示部２２２Ｒとが設置され、それぞれ接眼レンズ部が設置されている。２つの筺体を接続する接続部及びその他の空間には、画像情報を受信する第２表示記憶部２２５、第２表示通信部２２６、及び電源などの電気回路が設置され、第２表示制御部９６で制御される。なお、第１同期発生回路１１７及び第２同期発生回路１１７で使用する同期発生回路のクロック数を同一にすることで、複数の双眼表示部において表示されるクロックが同等となり、異なる双眼表示部においても違和感のない表示が可能となる。
【００２８】
＜デジタル双眼鏡の動作＞
第１デジタル双眼鏡１００において、視差間隔を離した対物レンズ部１１２Ｌと対物レンズ部１１２Ｒとを通過した外光は、第１撮像部１１３Ｌと第１撮像部１１３Ｒとで結像する。使用者が違和感なく画像情報を観察するには、第１撮像部１１３Ｌと第１撮像部１１３Ｒとで取得する画像情報が同等な明るさ、且つ撮影タイミングが同じである必要である。このため、第１双眼撮影部１１０は画像情報の収集時に第１同期発生回路１１７及び第１輝度調整部１１８により、同一なタイミングで、同一な輝度の画像情報を収集する。同一なタイミング及び同一な輝度で収集した画像情報は、同期及び輝度調整されて第１撮影記憶部１１５に一時的に保管される。
【００２９】
第１撮影記憶部１１５に一時保管された画像情報は、第１デジタル双眼鏡１００の第１撮影通信部１１６から第１双眼表示部１２０の第１表示通信部１２６へ配信される。第１表示通信部１２６で受信された画像情報は第１表示記憶部１２５に格納される。第１表示同期回路１２７は同時に取得した同期情報に基づいて、第１表示部１２２Ｌと第１表示部１２２Ｒとに同期させて表示させることができる。また、第１双眼表示部１２０は第１表示部１２２Ｌと第１表示部１２２Ｒとの輝度特性にあわせて、同一輝度の画像情報を表示させることができる。
【００３０】
第１双眼表示部１２０は接眼レンズ部１２３を設置することで、第１表示部１２２と使用者の眼球との距離を短く設計することができる。また、第１双眼表示部１２０は分離して使用可能なため、頭部に装着して使用することも可能である。
【００３１】
図３は頭部装着型の第１双眼表示部１２０の一例を示した斜視図である。頭部装着型の第１双眼表示部１２０は、図２で示された２つの筺体１２１にそれぞれテンプル１３１、及び鼻パッド１３２が接続されている。テンプル１３１、及び鼻パッド１３２は第１双眼表示部１２０を頭部に保持するためである。テンプル１３１は使用者の両耳に掛けることができ、左耳用のテンプル１３１と、右耳用のテンプル１３１が設置されている。鼻パッド１３２も左右の２箇所に設置されている。また、鼻パッド１３２は弾性素材で形成され、第１双眼表示部１２０の落下を防ぎ、且つ長時間の使用に耐えることができる構造となっている。
【００３２】
なお、テンプル１３１及び鼻パッド１３２は着脱式、折り畳み式、及び引き出し式のいずれであってもよい。また、接続部１２４は使用者の眼幅の調整だけでなく、頭部形状に合致させるように角度が調節可能な構造でも良い。また、頭部装着型の第１双眼表示部１２０は、ヘルメット型、ヘッドセット型、又はゴーグル型などの形態もとることができる。
【００３３】
筺体１２１の外縁部の一部にはボタン１３３を複数個形成して、様々な機能の切換を行うスイッチとして使用することができる。ボタン１３３は第１双眼撮影部１１０のズームまたはピントを合わせるスイッチとして利用したり、ボタンの機能をソフト的に切り換え、他の双眼撮影部に切り換えたりするスイッチとすることができる。また、ボタン１３３は機能の操作だけでなく、第１デジタル双眼鏡１００の設定も操作することが可能である。
【００３４】
また、第１双眼表示部１２０は人体検出センサ（不図示）などを設置することで、使用者が装着した際に電源が投入される機構を装備させてもよい。人体検出センサを設置させることで、第１双眼表示部１２０は、使用者が未装着の場合に第１表示部１２２及び第１表示通信部１２６への通電を遮断して使用電力を低下させることができる。これにより電源１２８の使用時間の延長が可能となり、省エネルギー効果を期待できる。
【００３５】
図４は本発明の映像システム１０の双眼撮影部で撮影された画像情報の制御経路を示すブロック図である。
【００３６】
第１デジタル双眼鏡１００において、第１撮影制御部９０は対象物を第１同期発生回路１１７の信号で同期させ第１双眼撮影部１１０の２箇所の第１撮像部１１３Ｌと第１撮像部１１３Ｒとで撮像する。また、第１撮像部１１３Ｌ及び第１撮像部１１３Ｒは、第１輝度調整部１１８で輝度を調整してそれぞれの画像情報を第１撮影記憶部１１５に格納する。第１撮影通信部１１６は、第１撮影記憶部１１５に格納した画像情報を配信する。
【００３７】
第１撮影制御部９０は、第１双眼表示部１２０の第１表示制御部９１から接続要求があった場合に、第１撮影通信部１１６と第１表示通信部１２６とを接続し、第１撮影通信部１１６の画像情報を第１表示記憶部１２５へ向けて配信する。第１表示同期回路１２７は第１表示記憶部１２５に格納した画像情報を、同期信号に合わせて２箇所の第１表示部１２２Ｌと第１表示部１２２Ｒとに同時に表示させる。これにより、使用者は２箇所の第１撮像部１１３の同期と輝度とが調整された画像情報を観察可能となる。使用者は第１表示部１２２Ｌと第１表示部１２２Ｒとにおいて違和感なく視差のある画像情報を観察することができる。
【００３８】
なお、仮に２箇所の第１表示部１２２Ｌと第１表示部１２２Ｒとの表示輝度が異なる場合においても、受信する画像情報の輝度が同一に調整されているため、第１表示部１２２の表示輝度を個々に調節することで、同一輝度での表示が可能となる。
【００３９】
同様にして、第１撮影制御部９０で取得した画像情報は第２双眼表示部２２０の第２表示制御部９６による接続要求にも同時に応えることができる。つまり、第１撮影通信部１１６と第２表示通信部２２６とで接続され、第１撮影通信部１１６からの画像情報を受信して第２表示記憶部２２５に格納する。第２表示同期回路２２７は第２表示記憶部２２５に格納した画像情報を、同期信号に合わせて２箇所の第２表示部２２２Ｌと第２表示部２２２Ｒとに同時に表示させる。これにより、第１双眼表示部１２０または第２双眼表示部２２０の使用者は第１双眼撮影部１１０の画像情報を同時、または個々に画像情報で観察することが可能となる。なお、２箇所の第２表示部２２２においても、表示輝度の調整がされているものとする。
【００４０】
第２双眼撮影部２１０の画像情報に関しても同様であり、第２撮影制御部９５は第２同期発生回路２１７の信号で同期させて２箇所の第２撮像部２１３Ｌと第２撮像部２１３Ｒとによって対象物を撮像する。そして、それぞれの画像情報をそれぞれの画像情報の輝度を第２輝度調整部２１８で調整して、それぞれ第２撮影記憶部２１５に格納し、第２撮影通信部２１６において接続要求のある接続先との通信待ちとなる。第２撮影通信部２１６は、上述されたように、第１表示制御部９１及び第２表示制御部９６からの接続要求に応えて画像情報を配信する。つまり、第２双眼撮影部２１０の画像情報は、第１双眼表示部１２０または第２双眼表示部２２０の使用者が、同時又は個々に視差を有する画像情報で観察することが可能となる。
【００４１】
図５は第１双眼表示部１２０及び第２双眼表示部２２０の表示画面の構成を示した図である。なお、図５においての実際の表示は視差だけずれた画像情報が左右の両眼の２箇所（２画面）で表示されるが、説明し易くするため使用者が認識する１画像で表示してある。第１双眼表示部１２０又は第２双眼表示部２２０は観察中の画像情報の他に、別の画像情報を同一画面に表示することも可能である。
【００４２】
図５（ａ）では、第１双眼表示部１２０において、第１表示制御部９１が図１で示された第１双眼撮影部１１０が撮影する樹木ＴＲを画面の全面（メイン画面ＭＳ）に映し、画面左上部の一部（サブ画面ＳＳ）に第２双眼撮影部２１０が撮影する野鳥ＢＲのサムネイル画像を表示させている。同様に、図５（ｂ）では、第２双眼表示部２２０において、第２表示制御部９６が図１で示された第２双眼撮影部２１０が撮影する野鳥ＢＲをメイン画面ＭＳに映し、サブ画面ＳＳに第１双眼撮影部１１０が撮影する樹木ＴＲのサムネイル画像を表示させている。
【００４３】
メイン画面ＭＳへ映し出す画像情報の選択、及びサブ画面ＳＳに映し出す画像情報の選択は第１双眼表示部１２０に設置されたボタン１３３を使用者が操作することにより選択することができる。
【００４４】
サムネイル画像は一定間隔の静止画、または連続する動画像でもよく、画面上の配置及び大きさを変更することができる。
【００４５】
図６は複数のデジタル双眼鏡が用意された際の表示例である。
本実施形態では２つの第１デジタル双眼鏡１００と第２デジタル双眼鏡２００とで説明したため、画面構成もメイン画面ＭＳとサブ画面ＳＳとの１面ずつの構成となっている。しかし、デジタル双眼鏡が３個以上の構成についても適応でき、複数のサブ画面ＳＳを表示させることもできる。
【００４６】
例えば、画面構成は図６（ａ）において、メイン画面ＭＳに樹木ＴＲを映し、メイン画面ＭＳの上部に３個のサブ画面ＳＳ１ないしサブ画面ＳＳ３を表示させた場合を示している。また、図６（ｂ）に示されるようにメイン画面ＭＳの全面に９個のサブ画面ＳＳ１ないしサブ画面ＳＳ９を映し出すことも可能である。
【００４７】
具体的には、屋外で本発明のデジタル双眼鏡を複数人で使用する場合に、互いのデジタル双眼鏡を無線通信手段などで接続することで、複数の画像情報をサブ画面ＳＳで共有することができ、他の使用者の観察対象物を確認することができる。また、デジタル双眼鏡をインターネットなどの通信手段で接続することで、接続する複数の画像情報から特定の画像情報を選び出し、自宅にいながら遠隔地の画像情報を視差のある画像情報で映し出すこともできる。
【産業上の利用可能性】
【００４８】
本実施形態の双眼撮影部は２つの撮影部を搭載した双眼鏡で説明したが、レンズ構成を変えることで、２つの撮影部を搭載した顕微鏡として使用することも可能である。双眼顕微鏡として使用する場合は、例えば、顕微鏡手術など医療分野において画像情報で表示させることで、使用者である医者に視差のある画像情報で分かりやすく表示させることができる。さらに、他の使用者、例えば医療スタッフなどに同じ画像情報を表示させることで、サポート及び教育をしやすくできるなどの効果が期待される。
【符号の説明】
【００４９】
９０    …  第１撮影制御部、９１    …  第１表示制御部
９５    …  第２撮影制御部、９６    …  第２表示制御部
１００  …  第１デジタル双眼鏡、２００  …  第２デジタル双眼鏡
１１０  …  第１双眼撮影部、２１０  …  第２双眼撮影部
１１１  …  鏡筒
１１２  …  対物レンズ部
１１３  …  第１撮像部、２１３  …  第２撮像部
１１４  …  保持部
１１５  …  第１撮影記憶部、２１５  …  第２撮影記憶部
１１６  …  第１撮影通信部、２１６  …  第２撮影通信部
１１７  …  第１同期発生回路、２１７  …  第２同期発生回路
１１８  …  第１輝度調整部、２１８  …  第２輝度調整部
１１９  …  電源
１２０  …  第１双眼表示部、２２０  …  第２双眼表示部
１２１  …  筺体
１２２  …  第１表示部、２２２  …  第２表示部
１２３  …  接眼レンズ部
１２４  …  接続部
１２５  …  第１表示記憶部、２２５  …  第２表示記憶部
１２６  …  第１表示通信部、２２６  …  第２表示通信部
１２８  …  電源
１３１  …  テンプル
１３２  …  鼻パッド
１３３  …  ボタン
ＢＲ    …  野鳥
ＭＳ    …  メイン画面
ＳＳ    …  サブ画面
ＴＲ    …  樹木
【図１】
2010166456.tif 000003
【図２】
2010166456.tif 000004
【図３】
2010166456.tif 000005
【図４】
2010166456.tif 000006
【図５】
2010166456.tif 000007
【図６】
2010166456.tif 000008